(57)【要約】【課題】文字間隔制御により文書画像への情報埋込みを行う場合であっても、文字の「切り出し誤り」の影響を受けずに、正確に埋込み情報を復元し得るようにする。【解決手段】文書画像の基になる文書データをレンダリングするレンダリング手段１２と、レンダリング結果から文字矩形の切り出しを行う第一文字矩形切り出し手段１３と、切り出した文字矩形の描画位置を変更して情報埋込みを行う矩形描画位置変更手段１７とを有した情報出力手段と、当該情報出力手段での出力結果から前記文書画像についての画像データを得る文書読込み手段２１と、その画像データから前記第一文字矩形切り出し手段１３と同一手法で文字矩形の切り出しを行う第二文字矩形切り出し手段２２と、切り出した文字矩形の描画位置を解析して前記埋込み情報を抽出する埋込み情報復元手段２３とを有した情報抽出手段とを備えて、画像処理装置を構成する。【選択図】図１
2007281671.tif 000002
【特許請求の範囲】
【請求項１】
文書画像への情報埋込みを行って出力する情報出力手段と、当該情報出力手段による出力結果から埋込み情報を抽出する情報抽出手段との少なくとも一方を備えた画像処理装置であって、
前記情報出力手段は、
前記文書画像の基になる文書データに対するレンダリングを行うレンダリング手段と、
前記レンダリング手段によるレンダリング結果から文字と思われる矩形の切り出しを行う第一文字矩形切り出し手段と、
前記第一文字矩形切り出し手段が切り出した矩形の描画位置を変更して矩形間距離を調整することで前記文書画像への情報埋込みを行う矩形描画位置変更手段とを有し、
前記情報抽出手段は、
前記情報出力手段による出力結果から前記文書画像についての画像データを得る文書読込み手段と、
前記文書読込み手段が得た画像データから前記第一文字矩形切り出し手段と同一手法により文字と思われる矩形の切り出しを行う第二文字矩形切り出し手段と、
前記第二文字矩形切り出し手段が切り出した矩形の描画位置を解析して前記埋込み情報を抽出する埋込み情報復元手段とを有する
ことを特徴とする画像処理装置。
【請求項２】
前記情報出力手段は、前記第一文字矩形切り出し手段が切り出した矩形についての特徴情報を認識して前記埋込み情報に含める特徴情報認識手段を有し、
前記情報抽出手段は、前記第二文字矩形切り出し手段が切り出した矩形についての特徴情報を認識するとともに、当該特徴情報を前記特徴情報認識手段が前記埋込み情報に含めた特徴情報と比較し、これらが一致するか否かを確認する特徴情報確認手段を有する
ことを特徴とする請求項１記載の画像処理装置。
【請求項３】
前記特徴情報は、矩形の切り出し個数についての情報からなる
ことを特徴とする請求項２記載の画像処理装置。
【請求項４】
コンピュータを、文書画像への情報埋込みを行って出力する情報出力手段と、当該情報出力手段による出力結果から埋込み情報を抽出する情報抽出手段との少なくとも一方として機能させる画像処理プログラムであって、
前記情報出力手段は、
前記文書画像の基になる文書データに対するレンダリングを行うレンダリング手段と、
前記レンダリング手段によるレンダリング結果から文字と思われる矩形の切り出しを行う第一文字矩形切り出し手段と、
前記第一文字矩形切り出し手段が切り出した矩形の描画位置を変更して矩形間距離を調整することで前記文書画像への情報埋込みを行う矩形描画位置変更手段とを有し、
前記情報抽出手段は、
前記情報出力手段による出力結果から前記文書画像についての画像データを得る文書読込み手段と、
前記文書読込み手段が得た画像データから前記第一文字矩形切り出し手段と同一手法により文字と思われる矩形の切り出しを行う第二文字矩形切り出し手段と、
前記第二文字矩形切り出し手段が切り出した矩形の描画位置を解析して前記埋込み情報を抽出する埋込み情報復元手段とを有する
ことを特徴とする画像処理プログラム。
【発明の詳細な説明】
【技術分野】
【０００１】
本発明は、文書画像への情報埋込みに対応する画像処理装置および画像処理プログラムに関する。
【背景技術】
【０００２】
近年、電子文書の普及に伴い、例えば電子透かしと呼ばれるような文書画像への情報埋込み技術が広く利用されつつある。その一例としては、例えば、ＯＣＲ（Optical Character Reader）の基礎技術である領域分割技術や文字抽出技術を用いて、文字間の距離（空白長）を制御することによって、情報埋込みを行うといったものがある（例えば、特許文献１、２参照）。
【０００３】
【特許文献１】特開平９−１８６６０３号公報
【特許文献２】特開２００３−２３０００１号公報
【発明の開示】
【発明が解決しようとする課題】
【０００４】
ところで、上述したように文字間の距離を制御して情報埋込みを行う場合には、文書画像への情報埋込み時における文字の切り出し結果と、その文書画像からの埋込み情報の抽出時における文字の切り出し結果とに相違が生じていると、埋込んだ情報を正しく復元できなくなってしまう。すなわち、文字の「切り出し誤り」が生じると、埋込んだ情報の利用が困難になるおそれがある。実際、文字認識の前処理で行われる文字の切り出し処理は、かなりの頻度で誤りを生じることが知られており、現状では人手による「切り出し誤り」の修正を行うことが一般的である。
【０００５】
そこで、本発明は、文書画像への「文字の間隔制御による情報埋込み処理」を行うことができるとともに、その場合であっても文字の「切り出し誤り」の影響を受けずに、正確に埋込み情報の復元処理を行うことのできる画像処理装置および画像処理プログラムを提供することを目的とする。
【課題を解決するための手段】
【０００６】
本発明は、上記目的を達成するために案出された画像処理装置で、文書画像への情報埋込みを行って出力する情報出力手段と、当該情報出力手段による出力結果から埋込み情報を抽出する情報抽出手段との少なくとも一方を備えた画像処理装置であって、前記情報出力手段は、前記文書画像の基になる文書データに対するレンダリングを行うレンダリング手段と、前記レンダリング手段によるレンダリング結果から文字と思われる矩形の切り出しを行う第一文字矩形切り出し手段と、前記第一文字矩形切り出し手段が切り出した矩形の描画位置を変更して矩形間距離を調整することで前記文書画像への情報埋込みを行う矩形描画位置変更手段とを有し、前記情報抽出手段は、前記情報出力手段による出力結果から前記文書画像についての画像データを得る文書読込み手段と、前記文書読込み手段が得た画像データから前記第一文字矩形切り出し手段と同一手法により文字と思われる矩形の切り出しを行う第二文字矩形切り出し手段と、前記第二文字矩形切り出し手段が切り出した矩形の描画位置を解析して前記埋込み情報を抽出する埋込み情報復元手段とを有することを特徴とする。
【０００７】
また、本発明は、上記目的を達成するために案出された画像処理プログラムで、コンピュータを、文書画像への情報埋込みを行って出力する情報出力手段と、当該情報出力手段による出力結果から埋込み情報を抽出する情報抽出手段との少なくとも一方として機能させる画像処理プログラムであって、前記情報出力手段は、前記文書画像の基になる文書データに対するレンダリングを行うレンダリング手段と、前記レンダリング手段によるレンダリング結果から文字と思われる矩形の切り出しを行う第一文字矩形切り出し手段と、前記第一文字矩形切り出し手段が切り出した矩形の描画位置を変更して矩形間距離を調整することで前記文書画像への情報埋込みを行う矩形描画位置変更手段とを有し、前記情報抽出手段は、前記情報出力手段による出力結果から前記文書画像についての画像データを得る文書読込み手段と、前記文書読込み手段が得た画像データから前記第一文字矩形切り出し手段と同一手法により文字と思われる矩形の切り出しを行う第二文字矩形切り出し手段と、前記第二文字矩形切り出し手段が切り出した矩形の描画位置を解析して前記埋込み情報を抽出する埋込み情報復元手段とを有することを特徴とする。
【０００８】
上記構成の画像処理装置および画像処理プログラムによれば、文書画像への情報埋込み時には当該文書画像の基になる文書データに対してレンダリングを行う一方で、その文書画像についての出力結果からの情報抽出時には当該文書画像についての画像データを得るようになっている。つまり、情報埋込み時にはレンダリング結果から文字矩形の切り出しを行い、情報抽出時には文書画像についての画像データから文字矩形の切り出しを行うので、文書画像の基になる文書データがどのようなデータ形式のものであっても、情報埋込み時と情報抽出時とで同様のデータ形式のものから文字矩形の切り出しを行うことになる。さらには、文字矩形の切り出しについても、情報埋込み時における第一文字矩形切り出し手段と、情報抽出時における第二文字矩形切り出し手段とは、それぞれが同一手法により文字矩形の切り出しを行うようになっているので、同様のデータ形式に対して同一手法により文字矩形の切り出しを行うことになる。したがって、例えば「切り出し誤り」が発生したとしても、それぞれの場合で同様の「切り出し誤り」が発生するはずなので、結果として「切り出し誤り」の発生有無に拘らずに、文書画像に埋め込んだ情報を確実に抽出し得るようになる。
【発明の効果】
【０００９】
以上のように、本発明によれば、文書データのデータ形式の種類や文字の「切り出し誤り」の発生有無に拘らず、文書画像に埋込んだ情報を確実に抽出し得るので、文書画像への「文字の間隔制御による情報埋込み処理」を行うことを可能にしつつ、その場合であっても正確に埋込み情報の復元処理を行うことができる。
【発明を実施するための最良の形態】
【００１０】
以下、図面に基づき本発明に係る画像処理装置および画像処理プログラムについて説明する。
【００１１】
先ず、画像処理装置の概略構成について説明する。ここで例に挙げて説明する画像処理装置は、スキャン機能、プリント機能、各種画像処理機能等を統合した複合機からなるもので、文書画像への情報埋込みおよびその埋込み情報の抽出に対応し得るように構成されたものである。さらに詳しくは、文書画像への情報埋込みおよびその埋込み情報の抽出に対応すべく、画像処理装置は、文書画像への情報埋込みを行って印刷出力する情報出力手段としての機能と、その印刷出力結果から画像データを読み取って埋込み情報を抽出する情報抽出手段としての機能との少なくとも一方を備えたものである。「少なくとも一方」であるから、必ずしも両方の機能を備えている必要はなく、いずれか一方の機能のみを備えていてもよい。ただし、いずれか一方の機能のみを備えている場合には、他方の機能を備えた画像処理装置と合わせて用いられるものとする。
【００１２】
ここで、情報出力手段としての機能および情報抽出手段としての機能について、さらに詳しく説明する。図１は情報出力手段としての機能の構成例を示すブロック図であり、図２は情報抽出手段としての機能の構成例を示すブロック図である。
【００１３】
情報出力手段としての機能は、図１に示すように、文書入力部１１、レンダリング部１２、文字矩形切り出し部１３、特徴情報認識部１４、埋込み情報入力部１５、文字矩形の描画位置制御情報生成部（以下、単に「制御情報生成部」という）１６、文字矩形描画位置変更部１７および文書出力部１８としての機能を有することによって実現される。
【００１４】
文書入力部１１は、文書画像の基になる文書データが入力されるものである。入力される文書データのデータ形式は、その一例としてＰＤＦ（Portable Document Format）形式のものが挙げられるが、特に限定されるものではなく、他のデータ形式のものであっても構わない。
【００１５】
レンダリング部１２は、文書入力部１１に入力された文書データに対するレンダリングを行うものである。すなわち、文書入力部１１に入力された文書データを、当該文書データにおける体裁情報に基づいて展開して、その文書データによって特定される文書画像についての画像データ（例えば、ビットマップ形式のもの）を得るものである。なお、レンダリング部１２では、文書入力部１１に入力され得るデータ形式に対応したレンダリングエンジンを予め備えているものとする。
【００１６】
文字矩形切り出し部１３は、レンダリング部１２によるレンダリング結果から、文字と思われる矩形（以下、単に「文字矩形」という）の切り出しを行うものである。文字矩形の切り出しは、公知のＯＣＲ技術を用いて行うものとする。
【００１７】
特徴情報認識部１４は、文字矩形切り出し部１３が切り出した文字矩形についての特徴情報を認識するものである。特徴情報としては、その一例として、文字矩形の切り出し個数についての情報が挙げられる。すなわち、特徴情報認識部１４は、文書データ毎に、文字矩形切り出し部１３が切り出した文字矩形の切り出し個数をカウントして、その結果を特徴情報として認識するものである。なお、特徴情報は、必ずしも文字矩形の切り出し個数ついての情報である必要はなく、文字矩形の切り出しの特徴を特定し得るものであれば、他の情報（例えば文字列における文字矩形の分布を正規化した情報）であっても構わない。
【００１８】
埋込み情報入力部１５は、文書画像に埋め込まれるべき情報（以下「埋込み情報」という）が入力されるものである。入力される埋込み情報としては、その一例として文書についてのセキュリティ情報が挙げられるが、特に限定されるものではなく、他の情報であっても構わない。また、データ形式についても同様であり、特に限定されるものではない。
【００１９】
制御情報生成部１６は、埋込み情報入力部１５に入力された埋込み情報に基づいて、文字矩形の描画位置についての制御情報を生成するものである。すなわち、制御情報生成部１６では、埋込み情報入力部１５に入力された埋込み情報を、文書画像中への埋め込みが可能な形態の制御情報に変換するようになっている。さらに、制御情報生成部１６では、特徴情報認識部１４が認識した特徴情報を当該特徴情報認識部１４から受け取って、その特徴情報を、生成する制御情報に含めるようになっている。なお、制御情報の詳細については、公知の情報埋込み技術で用いられるものを利用すればよいため、ここではその説明を省略する。
【００２０】
文字矩形描画位置変更部１７は、制御情報生成部１６が生成した制御情報に基づいて、文字矩形切り出し部１３が切り出した文字矩形の描画位置を変更して、その矩形間距離を調整することで、文書画像への情報埋込みを行うものである。この文字矩形描画位置変更部１７が行う文字矩形の描画位置変更についても、制御情報生成部１６が生成する制御情報と同様に、公知の情報埋込み技術を利用すればよいため、ここではその説明を省略する。
【００２１】
文書出力部１８は、文字矩形描画位置変更部１７による文字矩形の描画位置変更後における文書画像、すなわち埋込み情報が埋め込まれた状態の文書画像について、その印刷出力を行うものである。
【００２２】
一方、情報抽出手段としての機能は、図２に示すように、文書読込み部２１、文字矩形切り出し部２２、埋込み情報復元部２３および特徴情報確認部２４としての機能を有することによって実現される。
【００２３】
文書読込み部２１は、埋込み情報が埋め込まれた状態で印刷出力された文書画像について、その文書画像から画像データ（例えば、ビットマップ形式のもの）を得るための光学的な画像読み取りを行うものである。
【００２４】
文字矩形切り出し部２２は、文書読込み部２１が得た画像データから、文字矩形の切り出しを行うものである。ただし、文字矩形切り出し部２２は、上述した情報出力手段における文字矩形切り出し部１３と同一手法により、文字矩形の切り出しを行うようになっている。同一手法とは、同一のＯＣＲ技術を用いること、さらに詳しくは同一の文字切り出しアルゴリズムを用いることを意味する。したがって、同一手法により文字矩形の切り出しを行う文字矩形切り出し部１３および文字矩形切り出し部２２は、文字矩形切り出し部１３が第一文字矩形切り出し手段として機能し、文字矩形切り出し部２２が第二文字矩形切り出し手段として機能することになる。
【００２５】
埋込み情報復元部２３は、文字矩形切り出し部２２が切り出した文字矩形の描画位置を解析して、その解析結果から文書読込み部２１が画像読み取りを行った文書画像に埋め込まれている埋込み情報の抽出を行うものである。すなわち、文字矩形切り出し部２２が切り出した文字矩形の矩形間距離を解析することで、文書画像中への埋込み情報を抽出するようになっている。なお、埋込み情報抽出の詳細については、公知の情報埋込み技術を利用すればよいため、ここではその説明を省略する。
【００２６】
特徴情報確認部２４は、文字矩形切り出し部２２が切り出した矩形についての特徴情報を認識するとともに、その特徴情報を上述した情報出力手段における特徴情報認識部１４が埋込み情報に含めた特徴情報と比較し、これらが一致するか否かを確認するものである。なお、当然のことながら、特徴情報の認識は、特徴情報認識部１４と同様にして行うものとする。
【００２７】
これらの各部１１〜１８，２１〜２４は、例えば、所定プログラムを実行するＣＰＵ（Central Processing Unit）、その所定プログラムを格納するためのＲＯＭ（Read Only Memory）およびＣＰＵのワークエリアとして用いられるＲＡＭ（Random Access Memory）等の組み合わせによって実現すればよい。すなわち、これらの各部１１〜１８，２１〜２４は、画像処理装置におけるコンピュータとしての機能が所定プログラムを実行することによって実現することが考えられる。ただし、その場合に、各部１１〜１８，２１〜２４を実現する所定プログラムは、予め画像処理装置内にインストールされておらずに、コンピュータ読み取り可能な記憶媒体に格納されて提供されるものであっても、または有線若しくは無線による通信手段を介して配信されるものであってもよい。つまり、上述した構成の画像処理装置は、当該画像処理装置におけるコンピュータを当該画像処理装置として機能させる画像処理プログラムによっても実現可能である。
【００２８】
次に、以上のように構成された画像処理装置（画像処理プログラムによって実現される場合を含む）における処理動作例について説明する。
【００２９】
はじめに、情報出力手段としての機能が文書画像への情報埋込みを行って印刷出力する場合の処理動作を説明する。図３は、情報埋込みの手順の一例を示すフローチャートである。
【００３０】
図例のように、文書画像への情報埋込みを行って印刷出力する場合には、先ず、文書入力部１１で文書データの入力を行う（ステップ１０１、以下ステップを「Ｓ」と略す）。そして、文書データが入力されると、レンダリング部１２がその文書データに対するレンダリングを行ってその文書画像についての画像データを生成するとともに（Ｓ１０２）、文字矩形切り出し部１３が生成された画像データからの文字矩形の切り出しを行う（Ｓ１０３）。
【００３１】
ここで、文字矩形の切り出しについて、具体例を挙げて説明する。図４は、文字矩形の切り出し結果の一具体例を示す説明図である。図例では、文字列中における「リ」と「に」の文字部分について、それぞれを二つに分離してしまう切り出し誤りが発生している場合を示している。このような切り出し誤りは、公知のＯＣＲ技術を用いて文字矩形の切り出しを行った場合に、かなりの頻度で生じることが知られている。文字矩形切り出し部１３が行う文字矩形の切り出しにおいても、このような切り出し誤りが発生しても構わない。
【００３２】
また、図３において、埋込み情報入力部１５では、文書データの入力と併せて、または文書データの入力とは別に、文書画像に埋め込むべき埋込み情報の入力が行われる（Ｓ１０４）。そして、埋込み情報が入力されると、制御情報生成部１６がその埋込み情報に基づいて、文字矩形の描画位置についての制御情報を生成する（Ｓ１０５）。このとき、特徴情報認識部１４が文字矩形の特徴情報（例えば、切り出し個数）を認識していれば、その特徴情報を制御情報に含めるようにする。
【００３３】
その後は、文字矩形描画位置変更部１７が、レンダリング部１２が生成した画像データに対し、制御情報生成部１６が生成した制御情報に基づいて、文字矩形切り出し部１３が切り出した文字矩形の描画位置を変更して、その矩形間距離を調整する（Ｓ１０６）。これにより、文書画像中への情報埋込みが行われることになる。
【００３４】
ここで、文書画像中への情報埋込みについて、具体例を挙げて説明する。図５は、文字矩形の描画位置の変更結果の一具体例を示す説明図である。図例のように、文字矩形切り出し部１３での文字矩形の切り出し誤りが発生している場合、文字矩形描画位置変更部１７は、当該切り出し誤りが発生したままの状態で、各矩形間距離ａ（Ｌ−７），ａ（Ｌ−８），ａ（Ｌ−９），ａ（Ｌ−１０）…の調整を行う。具体的には、例えば「に」の文字部分が二つに分離されて、意味的には誤った文字矩形の切り出しとなっていても、そのまま矩形間の距離ａ（Ｌ−８）を制御して情報埋込みを行う。
【００３５】
このような情報埋込みを行った後は、図３に示すように、その情報埋込み後における画像データについて、文書出力部１８が印刷出力を行う（Ｓ１０７）。これにより、文書出力部１８からは、埋込み情報が埋め込まれた状態の文書画像が出力されることになる。
【００３６】
続いて、情報抽出手段としての機能が文書画像の印刷出力結果から画像データを読み取って埋込み情報を抽出する場合の処理動作を説明する。図６は、埋込み情報の抽出手順の一例を示すフローチャートである。
【００３７】
図例のように、文書画像の印刷出力結果から埋込み情報を抽出する場合には、先ず、文書読込み部２１が印刷出力結果である文書画像からの画像データの読み取りを行う（Ｓ２０１）。そして、その読み取りによって画像データを得ると、次いで、文字矩形切り出し部２２がその画像データからの文字矩形の切り出しを行う（Ｓ２０２）。ただし、このとき、文字矩形切り出し部２２は、文字矩形切り出し部１３と同一手法により、文字矩形の切り出しを行う。すなわち、文書画像中への情報埋込みの際と同一手法で、文字矩形の切り出しを行うのである。したがって、文字矩形切り出し部１３での文字矩形の切り出しの際に、例えば図４に示したような切り出し誤りが発生していた場合には、文字矩形切り出し部２２が文字矩形の切り出しを行う際においても、全く同様の切り出し誤りが発生することになる。
【００３８】
文字矩形切り出し部２２が文字矩形の切り出しを行うと、その後は、埋込み情報復元部２３が、各文字矩形の描画位置を解析して、その解析結果から埋込み情報の抽出を行う（Ｓ２０３）。このとき、例えば図５に示したように、文字矩形の切り出し誤りが発生したままの状態で、文字矩形描画位置変更部１７が情報埋込みを行っている場合には、文字矩形切り出し部２２での文字矩形の切り出しの際にも全く同様の切り出し誤りが発生することから、埋込み情報復元部２３は、当該切り出し誤りの影響を受けることなく、埋込み情報についてのデコードを行うことができ、その埋込み情報の復元を正確に行い得るようになる。
【００３９】
また、これと併せて、特徴情報確認部２４は、文字矩形切り出し部２２が切り出した文字矩形についての特徴情報を認識し、その特徴情報を埋込み情報に含まれている特徴情報と比較し、これらが一致するか否かを確認する。なお、その確認の結果、特に両者が不一致となった場合の結果については、画像処理装置のユーザインタフェースを通じて、利用者に対してアラーム出力することが考えられる。
【００４０】
以上に説明したように、本実施形態における画像処理装置および画像処理プログラムによれば、文書画像への情報埋込み時には当該文書画像の基になる文書データに対してレンダリングを行う一方で、その文書画像についての出力結果からの情報抽出時には当該文書画像についての画像データを得るようになっている。つまり、情報埋込み時にはレンダリング結果から文字矩形の切り出しを行い、情報抽出時には文書画像についての画像データから文字矩形の切り出しを行うので、文書画像の基になる文書データがどのようなデータ形式のものであっても、情報埋込み時と情報抽出時とで同様のデータ形式のものから文字矩形の切り出しを行うことになる。さらには、文字矩形の切り出しについても、情報埋込み時における文字矩形切り出し部１３と、情報抽出時における文字矩形切り出し部２２とは、それぞれが同一手法により文字矩形の切り出しを行うようになっているので、同様のデータ形式に対して同一手法により文字矩形の切り出しを行うことになる。したがって、例えば「切り出し誤り」が発生したとしても、それぞれの場合で同様の「切り出し誤り」が発生するはずなので、「切り出し誤り」の発生有無に拘らずに文書画像に埋め込んだ情報を確実に抽出し得るようになり、結果として文書画像への「文字の間隔制御による情報埋込み処理」を行うことを可能にしつつ、その場合であっても文字の「切り出し誤り」の影響を受けずに正確に埋込み情報の復元処理を行うことができる。
【００４１】
また、本実施形態で説明したように、切り出した文字矩形についての特徴情報を埋込み情報に含めておけば、情報埋込み時と情報抽出時とについて文字矩形の切り出しに相違がないか否かをチェックし得るようになるので、正確に埋込み情報の復元処理を行えるようにする上で非常に好適なものとなる。その場合に、特徴情報として、本実施形態で説明したような文字矩形の切り出し個数についての情報を用いれば、その特徴情報の認識や比較確認等の容易化を図ることが可能となる。
【００４２】
なお、本実施形態では、本発明の好適な実施具体例について説明したが、本発明はその内容に限定されるものではなく、その要旨を逸脱しない範囲で適宜変更することが可能である。特に、情報埋め込みの手法については、切り出した文字矩形の描画位置を変更して文書画像への情報埋込みを行うものであれば適用可能であり、特に限定されるものではない。
【図面の簡単な説明】
【００４３】
【図１】本発明に係る画像処理装置の概略構成について説明する図（その１）であり、当該画像処理装置における情報出力手段としての機能の構成例を示すブロック図である。
【図２】本発明に係る画像処理装置の概略構成について説明する図（その２）であり、当該画像処理装置における情報抽出手段としての機能の構成例を示すブロック図である。
【図３】本発明に係る画像処理装置における処理動作の概要について説明する図（その１）であり、情報埋込みの手順の一例を示すフローチャートである。
【図４】文字矩形の切り出し結果の一具体例を示す説明図である。
【図５】文字矩形の描画位置の変更結果の一具体例を示す説明図である。
【図６】本発明に係る画像処理装置における処理動作の概要について説明する図（その２）であり、埋込み情報の抽出手順の一例を示すフローチャートである。
【符号の説明】
【００４４】
１１…文書入力部、１２…レンダリング部、１３…文字矩形切り出し部、１４…特徴情報認識部、１５…埋込み情報入力部、１６…文字矩形の描画位置制御情報生成部、１７…文字矩形描画位置変更部、１８…文書出力部、２１…文書読込み部、２２…文字矩形切り出し部、２３…埋込み情報復元部、２４…特徴情報確認部
【図１】
2007281671.tif 000003
【図２】
2007281671.tif 000004
【図３】
2007281671.tif 000005
【図４】
2007281671.tif 000006
【図５】
2007281671.tif 000007
【図６】
2007281671.tif 000008